(57)【要約】【課題】  遊技盤の遊技領域に設けられた部材を調整しやすくする。【解決手段】  本体枠３の内部の左側端部には左施錠装置１９が、本体枠３の内部の右側端部には右施錠装置２０がそれぞれ組み込まれている。左施錠装置１９及び右施錠装置２０は、移動板２１、支持板２２、キーシリンダー２３、保持アーム部２４、コイルバネ２７を備える。保持アーム部２４は、第１レバー３１及び第２レバー３２を備える。前面扉５に、第１〜第４取付板５ａ〜５ｄを取り付ける。鍵３７を左施錠装置１９の鍵穴２３ｃに挿入して回動すると、左施錠装置１９の第１レバー３１と第２レバー３２とによる第１，第２取付板５ａ，５ｂに取り付けられた保持シャフト５ｅの保持が解除され、右施錠装置２０の第１レバー３１と第２レバー３２とにより保持された第３，第４取付板５ｃ，５ｄに取り付けられた保持シャフト５ｆを中心に、前面扉５を回動することができる。【選択図】        図１０
2005224442.tif 000002
【特許請求の範囲】
【請求項１】
遊技盤が装着される本体枠と、前記遊技盤の前面側に設けられ、前記本体枠に取り付けられる前面扉とを備えた弾球遊技機において、
前記前面扉の左側端部に設けられ、前記前面扉を前記本体枠に取り付けるときに保持される左扉保持部と、
前記前面扉の右側端部に設けられ、前記前面扉を前記本体枠に取り付けるときに保持される右扉保持部と、
前記本体枠の左側端部に設けられ、前記左扉保持部を保持して当該左扉保持部を中心に前記前面扉を回動可能に保持する左扉保持装置と、
前記本体枠の右側端部に設けられ、前記右扉保持部を保持して当該右扉保持部を中心に前記前面扉を回動可能に保持する右扉保持装置とを備えたことを特徴とする弾球遊技機。
【請求項２】
前記左扉保持部には左扉軸が、前記右扉保持部には右扉軸がそれぞれ設けられ、
前記左扉保持装置は、前記左扉軸に接触して当該左扉軸を回転自在に保持する左扉接触位置とこの接触を解除する左扉接触解除位置との間で変位する第１左変位部材と、前記左扉接触位置に位置する前記第１左変位部材とともに前記左扉軸を回転自在に保持する左扉保持位置とこの保持を解除する左扉保持解除位置との間で変位する第２左変位部材と、前記第１左変位部材を前記左扉接触位置に向けて、前記第２左変位部材を前記左扉保持位置に向けてそれぞれ付勢する左扉保持付勢部とを備え、
前記右扉保持装置は、前記右扉軸に接触して当該右扉軸を回転自在に保持する右扉接触位置とこの接触を解除する右扉接触解除位置との間で変位する第１右変位部材と、前記右扉接触位置に位置する前記第１右変位部材とともに前記右扉軸を回転自在に保持する右扉保持位置とこの保持を解除する右扉保持解除位置との間で変位する第２右変位部材と、前記第１右変位部材を前記右扉接触位置に向けて、前記第２右変位部材を前記右扉保持位置に向けてそれぞれ付勢する右扉保持付勢部とを備えたことを特徴とする請求項１記載の弾球遊技機。
【請求項３】
前記左扉保持装置は、前記第１左変位部材を前記左扉接触解除位置に、前記第２左変位部材を前記左扉保持解除位置にそれぞれ変位させる移動可能な左移動部材と、前記本体枠と前記前面扉との施錠及び施錠解除を行う施錠媒体による操作に応じて前記第１左変位部材を前記左扉接触解除位置に、前記第２左変位部材を前記左扉保持解除位置にそれぞれ変位させる位置に前記左移動部材を移動させる左施錠部材とを備え、
前記右扉保持装置は、前記第１右変位部材を前記右扉接触解除位置に、前記第２右変位部材を前記右扉保持解除位置にそれぞれ変位させる移動可能な右移動部材と、前記施錠媒体による操作に応じて前記第１右変位部材を前記右扉接触解除位置に、前記第２右変位部材を前記右扉保持解除位置にそれぞれ変位させる位置に前記右移動部材を移動させる右施錠部材とを備えたことを特徴とする請求項２記載の弾球遊技機。
【請求項４】
前記左扉保持部には左扉孔が、前記右扉保持部には右扉孔がそれぞれ設けられ、
前記左扉保持装置は、前記左扉孔に挿通して前記左扉保持部を保持する左扉挿通位置とこの挿通が解除される左扉挿通解除位置との間で変位する左扉挿通部材と、前記左扉挿通部材を前記左扉挿通位置に向けて付勢する左扉挿通付勢部とを備え、
前記右扉保持装置は、前記右扉孔に挿通して前記右扉保持部を保持する右扉挿通位置とこの挿通が解除される右扉挿通解除位置との間で変位する右扉挿通部材と、前記右扉挿通部材を前記右扉挿通位置に向けて付勢する右扉挿通付勢部とを備えたことを特徴とする請求項１記載の弾球遊技機。
【請求項５】
前記左扉保持装置は、前記左扉挿通部材を前記左扉挿通解除位置に変位させる移動可能な左移動部材と、前記本体枠と前記前面扉との施錠及び施錠解除を行う施錠媒体による操作に応じて前記左扉挿通部材を前記左扉挿通解除位置に変位させる位置に前記左移動部材を移動させる左施錠部材とを備え、
前記右扉保持装置は、前記右扉挿通部材を前記右扉挿通解除位置に変位させる移動可能な右移動部材と、前記施錠媒体による操作に応じて前記右扉挿通部材を前記右扉挿通解除位置に変位させる位置に前記右移動部材を移動させる右施錠部材とを備えたことを特徴とする請求項４記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、遊技場に設置されるパチンコ機は、本体枠に遊技盤が装着されており、この遊技盤には、各種入賞口や入賞球装置、障害釘などが設けられた遊技領域があり、球発射装置で打ち出されたパチンコ球をこの遊技領域で流下させることによってゲームが行われる。また、遊技盤の遊技領域は、ガラス板や透明な強化プラスチックプレート製の透明板で覆われ、遊技の過程を遊技者が透視できるようになっている。透明板は前面扉で保持され、この前面扉は、本体枠に回動可能に組み付けられている。前面扉は、通常、本体枠に施錠装置により施錠されており、鍵等の施錠媒体によりこの施錠を解除することで、前面扉が回動可能となり、遊技盤面上での遊技媒体の詰まり等のトラブルに簡単に対処できるようになる。
【発明の開示】
【発明が解決しようとする課題】
【０００３】
しかしながら、前面扉は、パチンコ機の前面側から見て左側の端部を中心に回動可能となっており、前面扉を開放して遊技盤の左側の端部に設けられた各種入賞口や入賞球装置、障害釘を調整する場合には、前面扉が邪魔になり、調整しずらいという問題があった。さらに、調整する遊技場の作業者が左利きの場合などには、前面扉が邪魔になり、調整しずらいという問題があった。
【０００４】
本発明は、上記従来技術の問題を解決するためになされたものであり、遊技盤の遊技領域に設けられた部材を調整しやすくした弾球遊技機を提供することを目的とする。
【課題を解決するための手段】
【０００５】
上記目的を達成するために、本発明の弾球遊技機は、遊技盤が装着される本体枠と、前記遊技盤の前面側に設けられ、前記本体枠に取り付けられる前面扉とを備えた弾球遊技機において、前記前面扉の左側端部に設けられ、前記前面扉を前記本体枠に取り付けるときに保持される左扉保持部と、前記前面扉の右側端部に設けられ、前記前面扉を前記本体枠に取り付けるときに保持される右扉保持部と、前記本体枠の左側端部に設けられ、前記左扉保持部を保持して当該左扉保持部を中心に前記前面扉を回動可能に保持する左扉保持装置と、前記本体枠の右側端部に設けられ、前記右扉保持部を保持して当該右扉保持部を中心に前記前面扉を回動可能に保持する右扉保持装置とを備えたことを特徴とする。
【０００６】
なお、前記左扉保持部には左扉軸が、前記右扉保持部には右扉軸がそれぞれ設けられ、前記左扉保持装置は、前記左扉軸に接触して当該左扉軸を回転自在に保持する左扉接触位置とこの接触を解除する左扉接触解除位置との間で変位する第１左変位部材と、前記左扉接触位置に位置する前記第１左変位部材とともに前記左扉軸を回転自在に保持する左扉保持位置とこの保持を解除する左扉保持解除位置との間で変位する第２左変位部材と、前記第１左変位部材を前記左扉接触位置に向けて、前記第２左変位部材を前記左扉保持位置に向けてそれぞれ付勢する左扉保持付勢部とを備え、前記右扉保持装置は、前記右扉軸に接触して当該右扉軸を回転自在に保持する右扉接触位置とこの接触を解除する右扉接触解除位置との間で変位する第１右変位部材と、前記右扉接触位置に位置する前記第１右変位部材とともに前記右扉軸を回転自在に保持する右扉保持位置とこの保持を解除する右扉保持解除位置との間で変位する第２右変位部材と、前記第１右変位部材を前記右扉接触位置に向けて、前記第２右変位部材を前記右扉保持位置に向けてそれぞれ付勢する右扉保持付勢部とを備えること、または、前記左扉保持部には左扉孔が、前記右扉保持部には右扉孔がそれぞれ設けられ、前記左扉保持装置は、前記左扉孔に挿通して前記左扉保持部を保持する左扉挿通位置とこの挿通が解除される左扉挿通解除位置との間で変位する左扉挿通部材と、前記左扉挿通部材を前記左扉挿通位置に向けて付勢する左扉挿通付勢部とを備え、前記右扉保持装置は、前記右扉孔に挿通して前記右扉保持部を保持する右扉挿通位置とこの挿通が解除される右扉挿通解除位置との間で変位する右扉挿通部材と、前記右扉挿通部材を前記右扉挿通位置に向けて付勢する右扉挿通付勢部とを備えることが好ましい。
【０００７】
また、前記左扉保持装置は、前記第１左変位部材を前記左扉接触解除位置に、前記第２左変位部材を前記左扉保持解除位置にそれぞれ変位させる移動可能な左移動部材と、前記本体枠と前記前面扉との施錠及び施錠解除を行う施錠媒体による操作に応じて前記第１左変位部材を前記左扉接触解除位置に、前記第２左変位部材を前記左扉保持解除位置にそれぞれ変位させる位置に前記左移動部材を移動させる左施錠部材とを備え、前記右扉保持装置は、前記第１右変位部材を前記右扉接触解除位置に、前記第２右変位部材を前記右扉保持解除位置にそれぞれ変位させる移動可能な右移動部材と、前記施錠媒体による操作に応じて前記第１右変位部材を前記右扉接触解除位置に、前記第２右変位部材を前記右扉保持解除位置にそれぞれ変位させる位置に前記右移動部材を移動させる右施錠部材とを備えること、または、前記左扉保持装置は、前記左扉挿通部材を前記左扉挿通解除位置に変位させる移動可能な左移動部材と、前記本体枠と前記前面扉との施錠及び施錠解除を行う施錠媒体による操作に応じて前記左扉挿通部材を前記左扉挿通解除位置に変位させる位置に前記左移動部材を移動させる左施錠部材とを備え、前記右扉保持装置は、前記右扉挿通部材を前記右扉挿通解除位置に変位させる移動可能な右移動部材と、前記施錠媒体による操作に応じて前記右扉挿通部材を前記右扉挿通解除位置に変位させる位置に前記右移動部材を移動させる右施錠部材とを備えることが好ましい。
【発明の効果】
【０００８】
本発明の弾球遊技機によれば、遊技盤が装着される本体枠と、遊技盤の前面側に設けられ、本体枠に取り付けられる前面扉と、前面扉の左側端部に設けられ、前面扉を本体枠に取り付けるときに保持される左扉保持部と、前面扉の右側端部に設けられ、前面扉を本体枠に取り付けるときに保持される右扉保持部と、本体枠の左側端部に設けられ、左扉保持部を保持して当該左扉保持部を中心に前面扉を回動可能に保持する左扉保持装置と、本体枠の右側端部に設けられ、右扉保持部を保持して当該右扉保持部を中心に前面扉を回動可能に保持する右扉保持装置とを備えたから、左扉保持装置だけにより前面扉を保持した際には、前面扉を左扉保持部を中心に回動することができ、右扉保持装置だけにより前面扉を保持した際には、前面扉を右扉保持部を中心に回動することができるため、前面扉を２つの異なる軸線を中心に回動することができ、遊技機が設置される遊技場の作業者が、遊技盤の遊技領域に設けられた部材の調整を行う際に、遊技領域の左側端部に設けられた部材を調整するときには前面扉を右扉保持部を中心に回動させて調整し、遊技領域の右側端部に設けられた部材を調整するときには前面扉を左扉保持部を中心に回動させて調整することにより、遊技領域のどの位置に設けられた部材を調整する場合にでも調整しやすくなり、作業者の作業効率を向上させることができる。
【０００９】
さらに、左扉保持部には左扉軸が、右扉保持部には右扉軸がそれぞれ設けられ、左扉保持装置は、左扉軸に接触して当該左扉軸を回転自在に保持する左扉接触位置とこの接触を解除する左扉接触解除位置との間で変位する第１左変位部材と、左扉接触位置に位置する第１左変位部材とともに左扉軸を回転自在に保持する左扉保持位置とこの保持を解除する左扉保持解除位置との間で変位する第２左変位部材と、第１左変位部材を左扉接触位置に向けて、第２左変位部材を左扉保持位置に向けてそれぞれ付勢する左扉保持付勢部とを備え、右扉保持装置は、右扉軸に接触して当該右扉軸を回転自在に保持する右扉接触位置とこの接触を解除する右扉接触解除位置との間で変位する第１右変位部材と、右扉接触位置に位置する第１右変位部材とともに右扉軸を回転自在に保持する右扉保持位置とこの保持を解除する右扉保持解除位置との間で変位する第２右変位部材と、第１右変位部材を右扉接触位置に向けて、第２右変位部材を右扉保持位置に向けてそれぞれ付勢する右扉保持付勢部とを備えたから、第１左変位部材を左扉軸に接触する左扉接触位置に変位し、第２左変位部材を左扉接触位置に位置する第１左変位部材とともに左扉軸を回転自在に保持する左扉保持位置に変位するだけで、左扉軸を回転自在に保持し、前面扉を左扉軸を中心に回動可能に保持することができ、さらには、左扉保持付勢部の付勢により、通常時には、第１左変位部材は左扉接触位置に、第２左変位部材は左扉保持位置に位置するため、第１左変位部材を左扉接触解除位置に、第２左変位部材を左扉保持解除位置に変位しない限りは、第１左変位部材を左扉接触位置に、第２左変位部材を左扉保持位置に位置することができる。また、第１右変位部材を右扉軸に接触する右扉接触位置に変位し、第２右変位部材を右扉接触位置に位置する第１右変位部材とともに右扉軸を回転自在に保持する右扉保持位置に変位するだけで、右扉軸を回転自在に保持し、前面扉を右扉軸を中心に回動可能に保持することができ、さらには、右扉保持付勢部の付勢により、通常時には、第１右変位部材は右扉接触位置に、第２右変位部材は右扉保持位置に位置するため、第１右変位部材を右扉接触解除位置に、第２右変位部材を右扉保持解除位置に変位しない限りは、第１右変位部材を右扉接触位置に、第２右変位部材を右扉保持位置に位置することができる。
【００１０】
また、左扉保持装置は、第１左変位部材を左扉接触解除位置に、第２左変位部材を左扉保持解除位置にそれぞれ変位させる移動可能な左移動部材と、本体枠と前面扉との施錠及び施錠解除を行う施錠媒体による操作に応じて第１左変位部材を左扉接触解除位置に、第２左変位部材を左扉保持解除位置にそれぞれ変位させる位置に左移動部材を移動させる左施錠部材とを備え、右扉保持装置は、第１右変位部材を右扉接触解除位置に、第２右変位部材を右扉保持解除位置にそれぞれ変位させる移動可能な右移動部材と、施錠媒体による操作に応じて第１右変位部材を右扉接触解除位置に、第２右変位部材を右扉保持解除位置にそれぞれ変位させる位置に右移動部材を移動させる右施錠部材とを備えたから、施錠媒体を操作して、左施錠部材により、第１左変位部材を左扉接触解除位置に、第２左変位部材を左扉保持解除位置にそれぞれ変位させる位置に左移動部材を移動させると、第１左変位部材が左扉接触解除位置に、第２左変位部材が左扉保持解除位置にそれぞれ変位するから、施錠媒体を操作するだけで第１左変位部材と第２左変位部材とによる左扉軸の保持を解除することができる。また、施錠媒体を操作して、右施錠部材により、第１右変位部材を右扉接触解除位置に、第２右変位部材を右扉保持解除位置にそれぞれ変位させる位置に右移動部材を移動させると、第１右変位部材が右扉接触解除位置に、第２右変位部材が右扉保持解除位置にそれぞれ変位するから、施錠媒体を操作するだけで第１右変位部材と第２右変位部材とによる右扉軸の保持を解除することができる。
【００１１】
さらに、左扉保持部には左扉孔が、右扉保持部には右扉孔がそれぞれ設けられ、左扉保持装置は、左扉孔に挿通して左扉保持部を保持する左扉挿通位置とこの挿通が解除される左扉挿通解除位置との間で変位する左扉挿通部材と、左扉挿通部材を左扉挿通位置に向けて付勢する左扉挿通付勢部とを備え、右扉保持装置は、右扉孔に挿通して右扉保持部を保持する右扉挿通位置とこの挿通が解除される右扉挿通解除位置との間で変位する右扉挿通部材と、右扉挿通部材を右扉挿通位置に向けて付勢する右扉挿通付勢部とを備えたから、左扉挿通部材を左扉孔に挿通して左扉保持部を保持する左扉挿通位置に変位するだけで、左扉保持部を保持し、前面扉を保持することができ、さらには、左扉挿通付勢部の付勢により、通常時には、左扉挿通部材は左扉挿通位置に位置するため、左扉挿通部材を左扉挿通解除位置に変位しない限りは、左扉挿通部材を左扉挿通位置に位置することができる。また、右扉挿通部材を右扉孔に挿通して右扉保持部を保持する右扉挿通位置に変位するだけで、右扉保持部を保持し、前面扉を保持することができ、さらには、右扉挿通付勢部の付勢により、通常時には、右扉挿通部材は右扉挿通位置に位置するため、右扉挿通部材を右扉挿通解除位置に変位しない限りは、右扉挿通部材を右扉挿通位置に位置することができる。
【００１２】
また、左扉保持装置は、左扉挿通部材を左扉挿通解除位置に変位させる移動可能な左移動部材と、本体枠と前面扉との施錠及び施錠解除を行う施錠媒体による操作に応じて左扉挿通部材を左扉挿通解除位置に変位させる位置に左移動部材を移動させる左施錠部材とを備え、右扉保持装置は、右扉挿通部材を右扉挿通解除位置に変位させる移動可能な右移動部材と、施錠媒体による操作に応じて右扉挿通部材を右扉挿通解除位置に変位させる位置に右移動部材を移動させる右施錠部材とを備えたから、施錠媒体を操作して、左施錠部材により、左扉挿通部材を左扉挿通解除位置に変位させる位置に左移動部材を移動させると、左扉挿通部材が左扉挿通解除位置に変位するから、施錠媒体を操作するだけで左扉挿通部材による左扉保持部の保持を解除することができる。また、施錠媒体を操作して、右施錠部材により、右扉挿通部材を右扉挿通解除位置に変位させる位置に右移動部材を移動させると、右扉挿通部材が右扉挿通解除位置に変位するから、施錠媒体を操作するだけで右扉挿通部材による右扉保持部の保持を解除することができる。
【発明を実施するための最良の形態】
【００１３】
図１に本発明を用いた弾球遊技機の１実施例であるパチンコ機の外観を示す。パチンコ機２の本体枠３の内部には遊技盤４が配設されており、遊技盤４の前面には詳しくは後述するように前面枠５が本体枠３に対して開閉自在に設けられている。前面扉５の下方には、打球供給用の供給皿６及びパチンコ球７の打ち出し強さを調節する操作ハンドル８が設けられている。遊技盤４のパチンコ球が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには始動入賞口１０、通常入賞口１１、アタッカ１２、アウト口１３が設けられている。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１４】
なお、前面扉５が閉じているロック状態であるときには、遊技者や遊技場の作業者は、前面扉５に板状のガラスが装着されて形成されたガラス窓１５を通して遊技盤４の遊技領域４ａを流下していくパチンコ球７を見ることはできるが、遊技盤４にはもちろんのこと本体枠３の内部にも触れることができないようになっている。
【００１５】
図２に示すように、本体枠３の内部の左側端部には左施錠装置１９が、本体枠３の内部の右側端部には右施錠装置２０がそれぞれ組み付けられている。前面扉５を左施錠装置１９及び右施錠装置２０に取り付けたときに、前面扉５の上端面、下端面及び両側端面（以後、これらを総括して外周面と称する）が、本体枠３の内側に位置するととともに、前面扉５の前面と本体枠３の前面３ａとが略面一な状態（図７（Ｃ）参照）になるように、前面３ａは形成されている。本体枠３の内側面には、前面３ａよりも後側で前面３ａに平行な取付面３ｂが内側面全周に渡って設けられており、前面３ａと取付面３ｂとにより本体枠３は段差状に形成されている。これにより、前面扉５を左施錠装置１９及び右施錠装置２０に取り付けたときには、本体枠３の内側面が前面扉５の外周面を覆うこととなる。取付面３ｂの左側端部の上側端部には、後述する左施錠装置１９の上端アーム受け部２２ｂに取り付けられた第１アーム３１及び第２アーム３２を挿通させるための第１左挿通孔３ｃが、取付面３ｂの左側端部の下側端部には、後述する左施錠装置１９の下端アーム受け部２２ｃに取り付けられた第１アーム３１及び第２アーム３２を挿通させるための第２左挿通孔３ｄがそれぞれ形成されている。取付面３ｂの右側端部の上側端部には、後述する右施錠装置２０の上端アーム受け部２２ｂに取り付けられた第１アーム３１及び第２アーム３２を挿通させるための第１右挿通孔３ｅが、取付面３ｂの右側端部の下側端部には、後述する右施錠装置２０の下端アーム受け部２２ｃに取り付けられた第１アーム３１及び第２アーム３２を挿通させるための第２右挿通孔３ｆがそれぞれ形成されている。
【００１６】
前面扉５の後面の前面側から見た左側端部の上側端部には、板状の第１取付板（左扉保持部）５ａが、前面扉５の後面の前面側から見た左側端部の下側端部には、板状の第２取付板（左扉保持部）５ｂがそれぞれ取り付けられており、前面扉５の後面の前面側から見た右側端部の上側端部には、板状の第３取付板（右扉保持部）５ｃが、前面扉５の後面の前面側から見た右側端部の下側端部には、板状の第４取付板（右扉保持部）５ｄがそれぞれ取り付けられている。第１取付板５ａの上面と第２取付板５ｂの下面とには、後述する左施錠装置１９の第１アーム３１の保持部３１ａと第２アーム３２の保持部３２ａとの間に挿入するための保持シャフト５ｅが、第３取付板５ｃの上面と第４取付板５ｄの下面とには、後述する右施錠装置２０の第１アーム３１の保持部３１ａと第２アーム３２の保持部３２ａとの間に挿入するための保持シャフト５ｆがそれぞれ取り付けられている。前面扉５の前面側から見た左側端部の略中央部には、本体枠３と前面扉５との施錠を行う後述する鍵３７を挿入するための左鍵挿入孔５ｇが、前面扉５の前面側から見た右側端部の略中央部には、鍵３７を挿入するための右鍵挿入孔５ｈが設けられている。前面扉５の前面側から見た左側面の上側端部及び下側端部には、前面扉５を開放したときに後述する左施錠装置１９の第１アーム３１及び第２アーム３２に接触しないように、第１切欠き５ｉが形成されており、前面扉５の前面側から見た右側面の上側端部及び下側端部には、前面扉５を開放したときに後述する右施錠装置２０の第１アーム３１及び第２アーム３２に接触しないように、第２切欠き５ｊが形成されている。前面扉５には、可視可能なガラス１５が着脱自在で交換可能に取り付けられている。
【００１７】
左施錠装置（左扉保持装置）１９及び右施錠装置（右扉保持装置）２０は同じ部材により構成されているため、左施錠装置１９のみを例に説明し、右施錠装置２０の説明は簡略化する。図３及び図４に示すように、左施錠装置１９は、薄板板金により長板状に形成され、後述する保持アーム部２４を変位させるための移動板（左移動部材）２１と、薄板板金により長板状に形成され、移動板２１を移動可能に支持する支持板２２と、支持板２２に取り付けられ、鍵（施錠媒体）３７によって操作されて移動板２１を移動させるためのキーシリンダー（左施錠部材）２３と、支持板２２に取り付けられ、前面扉５の保持シャフト５ｅを保持するための保持アーム部２４と、コイルバネ２７とを備える。保持アーム部２４は、２個設けられている。コイルバネ２７は、コイル状に巻回された中心部２７ａと、この中心部２７ａの上側端部に形成され、フック形状に曲げ加工された上フック部２７ｂと、中心部２７ａの下側端部に形成され、フック形状に曲げ加工された下フック部２７ｃとから構成されている。支持板２２は、本体枠３内部の所定位置に取り付けられている。
【００１８】
図４に示すように、移動板（左移動部材）２１は、長板状の本体部２１ａと、本体部２１ａの上側端部に本体部２１ａを９０°の角度で曲げ加工した形状で形成された上端曲げ部２１ｂと、本体部２１ａの下側端部に本体部２１ａを９０°の角度で曲げ加工した形状で形成された下端曲げ部２１ｃとからなる。本体部２１ａの上側端部及び下側端部には、それぞれ移動板２１を移動可能に支持板２２に取り付けるための長孔状のスライド孔２１ｄが形成されており、本体部２１ａの左側端部の中央部よりも上側には、後述するキーシリンダー２３の後面に設けられた連結板２９に形成された連結片２９ａ，２９ｂの間に入り込み、この連結板２９の回転により移動板２１を移動させるための凸状の移動片２１ｅが形成され、本体部２１ａの右側端部の中央部よりも下側には、コイルバネ２７の下フック部２７ｃを引っ掛けるための本体部２１ａを９０°の角度で曲げ加工した形状で形成された凸状のバネ掛け部２１ｆが形成されている。上端曲げ部２１ｂ、下端曲げ部２１ｃには、それぞれ後述する保持アーム部２４の第１アーム３１と第２アーム３２との間に入り込み、移動板２１の移動により第１アーム３１と第２アーム３２とを外側方向に押し広げるための凸状のアーム開放部２１ｇが形成されている。アーム開放部２１ｇは、左右それぞれの端部が略中央部から上側端部に向けて外側方向へのテーパ状に形成されている。バネ掛け部２１ｆには、コイルバネ２７の下フック部２７ｂを引っ掛けるための凹状のバネ凹部２１ｈが形成されている。
【００１９】
支持板２２は、長板状の本体部２２ａと、本体部２２ａの上側端部に本体部２２ａを９０°の角度で曲げ加工した形状で形成された保持アーム部２４の受け部となる上端アーム受け部２２ｂと、本体部２２ａの下側端部に本体部２２ａを９０°の角度で曲げ加工した形状で形成された保持アーム部２４の受け部となる下端アーム受け部２２ｃと、本体部２２ａの左側端部の中央部よりも上側に本体部２２ａを９０°の角度で曲げ加工した形状で形成されたキーシリンダー２３の受け部となる上シリンダー受け部２２ｄと、本体部２２ａの左側端部の中央部よりも下側に本体部２２ａを９０°の角度で曲げ加工した形状で形成されたキーシリンダー２３の受け部となる下シリンダー受け部２２ｅとからなる。本体部２２ａの上側端部及び下側端部には、それぞれ移動板２１を取り付けるための取付孔２２ｆが形成されており、本体部２２ａの右側端部の略中央部には、コイルバネ２７の上フック部２７ｂを引っ掛けるための凸状のバネ掛け部２２ｇが形成されている。上端アーム受け部２２ｂ、下端アーム受け部２２ｃには、それぞれ保持アーム部２４の第１アーム３１の挿通孔３１ｄと第２アーム３２の挿通孔３２ｄとに挿通するためのシャフト２２ｈが形成されている。上シリンダー受け部２２ｄ、下シリンダー受け部２２ｅには、それぞれキーシリンダー２３を取り付けるための取付孔２２ｉが形成されている。バネ掛け部２２ｇには、コイルバネ２７の上フック部２７ｂを引っ掛けるための凹状のバネ凹部２２ｊが形成されている。
【００２０】
支持板２２の上に移動板２１をのせて、ピン２６を移動板２１のスライド孔２１ｄを介して支持板２２の取付孔２２ｆに固定すると、移動板２１は、上下に移動可能な状態で支持板２２に取り付けられる。
【００２１】
コイルバネ２７の上フック部２７ｂを、支持板２２のバネ掛け部２２ｇに形成されたバネ凹部２２ｊに引っ掛け、下フック部２７ｃを下方（図３中Ａ方向）に移動すると、上フック部２７ｂは下方（図３中Ａ方向）に、下フック部２７ｃは上方（図３中Ｂ方向）に移動しようとする力が発生する。そこで、下フック部２７ｃを移動板２１のバネ掛け部２１ｆに形成されたバネ凹部２１ｈに引っ掛けると、コイルバネ２７により、移動板２１が上方（図３中Ｂ方向）に付勢された状態となる。
【００２２】
キーシリンダー（左施錠部材）２３は、鍵（施錠媒体）３７を挿入するための柱状の本体部２３ａと、本体部２３ａの底面に一体に形成された上シリンダー受け部２２ｄ及び下シリンダー受け部２２ｅに取り付けるための板状の取付板２３ｂとからなる。本体部２３ａには、鍵３７を挿入するための鍵穴２３ｃ（図２参照）が、取付板２３ｂの本体部２３ａを中心にした両側部分には、それぞれ取付孔２３ｄが形成されており、ビス２８を、支持板２２の取付孔２２ｉを介して取付孔２３ｄにビス締めする。これにより、キーシリンダー２３は、支持板２２の上シリンダー受け部２２ｄ及び下シリンダー受け部２２ｅに固定される。本体部２３ａの前面は、本体枠３の前面の左右の端部の略中央部に形成された開口から露呈される（図２参照）。取付板２３ｂの後面には、本体部２３ａの鍵穴２３ｃに挿入される鍵３７の操作に連動して回転するシリンダーシャフト２３ｅが取り付けられており、このシリンダーシャフト２３ｅには、板状の連結板２９がカシメ締めされている。連結板２９は、所定のピッチ間隔をおいて２箇所に連結片２９ａ，２９ｂが形成されており、これら連結片２９ａ，２９ｂの間には、移動板２１の移動片２１ｅが入り込む。
【００２３】
図５に示すように、保持アーム部２４は、略板状に形成された樹脂製の第１アーム（第１左変位部材）３１及び第２アーム（第２左変位部材）３２と、コイルバネ（左扉保持付勢部）３５とを備える。コイルバネ（左扉保持付勢部）３５は、コイル状に巻回された中心部３５ａと、この中心部３５ａの左側端部に形成され、フック形状に曲げ加工された左フック部３５ｂと、中心部３５ａの右側端部に形成され、フック形状に曲げ加工された右フック部３５ｃとから構成されている。
【００２４】
第１アーム（第１左変位部材）３１には、先端部に後述する第２アーム３２の保持部３２ａとともに前面扉５の保持シャフト５ｅを保持するための半円弧状の保持部３１ａが、略中央部に支持板２２のシャフト２２ｈを挿通するための円筒状の挿通部３１ｂが、後端部にコイルバネ３５を取り付けるための凸状のバネ取付部３１ｃがそれぞれ形成されている。保持部３１ａは、その先端部が、先端面に向けて横方向の肉厚が薄くなるようなテーパ状に形成されている。挿通部３１ｂは、高さ方向の肉厚が保持部３１ａの半分の肉厚になるように下側半分だけで形成されており、支持板２２のシャフト２２ｈを挿通するための挿通孔３１ｄが形成されている。挿通孔３１ｄは、第１アーム３１を回動する際の回動中心となる。バネ取付部３１ｃには、コイルバネ３５の左フック部３５ｂを挿入するためのバネ挿入孔３１ｅが形成されている。第２アーム（第２左変位部材）３２には、先端部に第１アーム３１の保持部３１ａとともに前面扉５の保持シャフト５ｅを保持するための保持部３１ａとは逆向きとなる半円弧状の保持部３２ａが、略中央部に支持板２２のシャフト２２ｈを挿通するための円筒状の挿通部３２ｂが、後端部にコイルバネ３５を取り付けるための凸状のバネ取付部３２ｃが形成されている。保持部３２ａは、その先端部が、先端面に向けて横方向の肉厚が薄くなるようなテーパ状に形成されている。挿通部３２ｂは、高さ方向の肉厚が保持部３２ａの半分の肉厚になるように上側半分だけで形成されており、支持板２２のシャフト２２ｈを挿入するための挿通孔３２ｄが形成されている。挿通孔３２ｄは、第２アーム３２を回動する際の回動中心となる。バネ取付部３２ｃには、コイルバネ３５の右フック部３５ｃを挿入するためのバネ挿入孔３２ｅが形成されている。
【００２５】
図６に示すように、支持板２２の上端アーム受け部２２ｂに形成されたシャフト２２ｈを、第１アーム３１の挿通孔３１ｄに挿入し、さらに、シャフト２２ｈを、第２アーム３２の挿通孔３２ｄに挿通させると、第１アーム３１及び第２アーム３２は、それぞれ挿通孔３１ｄ及び挿通穴３２ｄを中心に回動可能な状態で、支持板２２の上端アーム受け部２２ｂに取り付けられる。なお、図示しない抜け防止部材により、第１アーム３１及び第２アーム３２がシャフト２２ｈから抜けないようにしている。そして、コイルバネ３５の左フック部３５ｂの先端部を第１アーム３１のバネ挿入孔３１ｅに挿入して左フック部３５ｂをバネ挿入孔３１ｅに引っ掛け、右フック部３５ｃを図６中Ｃ方向に回動すると、左フック部３５ｂは図６中Ｃ方向に、右フック部３５ｃは図６中Ｄ方向に回動しようとする力が発生する。そこで、右フック部３５ｃの先端部を第２アーム３２のバネ挿入孔３２ｅに挿入して右フック部３５ｃをバネ挿入孔３２ｅに引っ掛けると、コイルバネ３５により第１アーム３１は図６中Ｃ方向に、第２アーム３２は図６中Ｄ方向にそれぞれ付勢された状態となる。第１アーム３１の保持部３１ａの当接面３１ｆ（図５参照）と、第２アーム３２の保持部３２ａの当接面３２ｆ（図５参照）とが当接した状態となり、保持部３１ａと保持部３２ａとの間に、詳しくは後述するように保持シャフト５ｅを保持するための隙間ができる。同様にして、第１アーム３１及び第２アーム３２を、それぞれ回動可能な状態で、第１アーム３１は図６中Ｃ方向に、第２アーム３２は図６中Ｄ方向にコイルバネ３５によりそれぞれ付勢された状態で支持板２２の下端アーム受け部２２ｃに取り付ける。これにより、保持部３１ａと保持部３２ａとの間に、詳しくは後述するように保持シャフト５ｆを保持するための隙間ができる。
【００２６】
本体枠３の内部の左側端部に左施錠装置１９を、本体枠３の内部の右側端部に右施錠装置２０をそれぞれ組み付けると、左施錠装置１９の支持板２２の上端アーム受け部２２ｂに取り付けられた第１アーム３１及び第２アーム３２の挿通部３１ｂよりも保持部３１ａ側の部分と挿通部３２ｂよりも保持部３２ａ側の部分とが第１左挿通孔３ｃに挿通されて取付面３ｂから突出し、左施錠装置１９の下端アーム受け部２２ｃに取り付けられた第１アーム３１及び第２アーム３２の挿通部３１ｂよりも保持部３１ａ側の部分と挿通部３２ｂよりも保持部３２ａ側の部分とが第２左挿通孔３ｄに挿通されて取付面３ｂから突出する（図２参照）。同様にして、右施錠装置２０の支持板２２の上端アーム受け部２２ｂに取り付けられた第１アーム３１及び第２アーム３２の挿通部３１ｂよりも保持部３１ａ側の部分と挿通部３２ｂよりも保持部３２ａ側の部分とが第１右挿通孔３ｅに挿通されて取付面３ｂから突出し、右施錠装置２０の下端アーム受け部２２ｃに取り付けられた第１アーム３１及び第２アーム３２の挿通部３１ｂよりも保持部３１ａ側の部分と挿通部３２ｂよりも保持部３２ａ側の部分とが第２右挿通孔３ｆに挿通されて取付面３ｂから突出する（図２参照）。
【００２７】
なお、本実施形態では、右施錠装置２０の移動板２１は右移動部材として、右施錠装置２０のキーシリンダー２３は右施錠部材として、右施錠装置２０の第１アーム３１は第１右変位部材として、右施錠装置２０の第２アーム３２は第２右変位部材として、右施錠装置２０のコイルバネ３５は右扉保持付勢部としてそれぞれ機能する。
【００２８】
前面扉５を本体枠３に取り付ける際には、図７（Ａ）に示すように、第１取付板５ａに取り付けられた保持シャフト５ｅを、左施錠装置１９の支持板２２の上端アーム受け部２２ｂに取り付けられた第１アーム３１の保持部３１ａの先端部と第２アーム３２の保持部３２ａの先端部とに当接させ、図示は省略したが第２取付板５ｂに取り付けられた保持シャフト５ｅを、左施錠装置１９の支持板２２の下端アーム受け部２２ｃに取り付けられた第１アーム３１の保持部３１ａの先端部と第２アーム３２の保持部３２ａの先端部とに当接させるとともに、第３取付板５ｃに取り付けられた保持シャフト５ｆを、右施錠装置２０の支持板２２の上端アーム受け部２２ｂに取り付けられた第１アーム３１の保持部３１ａの先端部と第２アーム３２の保持部３２ａの先端部とに当接させ、図示は省略したが第４取付板５ｄに取り付けられた保持シャフト５ｆを、右施錠装置２０の支持板２２の下端アーム受け部２２ｃに取り付けられた第１アーム３１の保持部３１ａの先端部と第２アーム３２の保持部３２ａの先端部とに当接させる。第１アーム３１の保持部３１ａの先端部と第２アーム３２の保持部３２ａの先端部とは、テーパ状に形成されており、図７（Ｂ）に示すように、第１，第２取付板５ａ，５ｂに取り付けられた保持シャフト５ｅ及び第３，第４取付板５ｃ，５ｄに取り付けられた保持シャフト５ｆを、保持部３１ａの先端部と保持部３２ａの先端部とにそれぞれ当接させた後に前面扉５を後方に移動すると、第１アーム３１は図中Ｄ方向に、第２アーム３２は図中Ｃ方向に回動する。そして、図７（Ｃ）に示すように、保持シャフト５ｅ，５ｆは、第１アーム３１の保持部３１ａと第２アーム３２の保持部３２ａとの間にそれぞれ収納され、コイルバネ３５により第１アーム３１は図中Ｃ方向に、第２アーム３２は図中Ｄ方向に付勢されているため、保持シャフト５ｅ，５ｆがそれぞれ保持部３１ａと保持部３２ａとの間から抜けなくなり、前面扉５が取り外し不能に本体枠３に取り付けられる。
【００２９】
上記のように構成されたパチンコ機２の作用について説明する。パチンコ機２が設置された遊技場の作業者は、鍵３７を用いて本体枠３と前面扉５との施錠を解除する。遊技領域４ａの左側端部に設けられた部材を調整する場合には、作業者は鍵３７を前面扉５の左側端部の略中央部に形成された鍵挿入孔５ｇから、左施錠装置１９のキーシリンダー２３の鍵穴２３ｃに挿入する。図８に示すように、鍵３７を図中Ｅ方向に回動すると、連結片２９ａが移動片２１ｅを図中Ａ方向に押圧し、移動板２１が図中Ａ方向に移動する。図９に示すように、移動板２１が図中Ａ方向に移動すると、上端曲げ部２１ｂに形成されたアーム開放部２１ｇが第１アーム３１と第２アーム３２とに接触して、第１アーム３１が図中Ｄ方向に、第２アーム３２が図中Ｃ方向にそれぞれ回動する。同様に、下端曲げ部２１ｃに形成されたアーム開放部３１ｇが第１アーム３１と第２アーム３２とに接触して、第１アーム３１が図中Ｄ方向に、第２アーム３２が図中Ｃ方向にそれぞれ回動する。この状態では、左施錠装置１９の第１アーム３１の当接面３１ｆと第２アーム３２の当接面３２ｆとの間に隙間が生じるため、左施錠装置１９の第１アーム３１と第２アーム３２とによる前面扉５の第１，第２取付板５ａ，５ｂに取り付けられた保持シャフト５ｅの保持が解除され、図１０に示すように、右施錠装置２０の第１アーム３１と第２アーム３２とにより保持された第３取付板５ｃに取り付けられた保持シャフト５ｆと、第４取付板５ｄに取り付けられた保持シャフト５ｆとを結ぶ軸線を中心に、前面扉５を回動することができる。
【００３０】
遊技領域４ａの右側端部に設けられた部材を調整する場合には、作業者は鍵３７を前面扉５の右側端部の略中央部に形成された鍵挿入孔５ｈから、右施錠装置２０のキーシリンダー２３の鍵穴２３ｃに挿入する。図８に示すように、鍵３７を図中Ｅ方向に回動すると、連結片２９ａが移動片２１ｅを図中Ａ方向に押圧し、移動板２１が図中Ａ方向に移動する。移動板２１が図中Ａ方向に移動すると、上端曲げ部２１ｂに形成されたアーム開放部２１ｇが第１アーム３１と第２アーム３２とに接触して、第１アーム３１が図中Ｄ方向に、第２アーム３２が図中Ｃ方向にそれぞれ回動する。同様に、下端曲げ部２１ｃに形成されたアーム開放部３１ｇが第１アーム３１と第２アーム３２とに接触して、第１アーム３１が図中Ｄ方向に、第２アーム３２が図中Ｃ方向にそれぞれ回動する。この状態では、右施錠装置２０の第１アーム３１の当接面３１ｆと第２アーム３２の当接面３２ｆとの間に隙間が生じるため、右施錠装置２０の第１アーム３１と第２アーム３２とによる第３，第４取付板５ｃ，５ｄに取り付けられた保持シャフト５ｆの保持が解除され、図１１に示すように、左施錠装置１９の第１アーム３１と第２アーム３２とにより保持された第１取付板５ａに取り付けられた保持シャフト５ｅと、第２取付板５ｂに取り付けられた保持シャフト５ｅとを結ぶ軸線を中心に、前面扉５を回動することができる。
【００３１】
このように、左施錠装置１９による前面扉５の施錠を解除すると、右施錠装置２０の第１アーム３１と第２アーム３２とにより保持された第３，第４取付板５ｃ，５ｄに取り付けられた保持シャフト５ｆを中心に、前面扉５を回動することができ、右施錠装置２０による前面扉５の施錠を解除すると、左施錠装置１９の第１アーム３１と第２アーム３２とにより保持された第１，第２取付板５ａ，５ｂに取り付けられた保持シャフト５ｅを中心に、前面扉５を回動することができるから、パチンコ機２が設置される遊技場の作業者が、遊技盤４の遊技領域４ａに設けられた部材を調整する際に、遊技領域４ａの左側端部に設けられた部材を調整するときには、左施錠装置１９による前面扉５の施錠を解除し、右施錠装置２０の第１アーム３１と第２アーム３２とにより保持された第３，第４取付板５ｃ，５ｄに取り付けられた保持シャフト５ｆを中心に、前面扉５を回動させて調整し、遊技領域４ａの右側端部に設けられた部材を調整するときには、右施錠装置２０による前面扉５の施錠を解除し、左施錠装置１９の第１アーム３１と第２アーム３２とにより保持された第１，第２取付板５ａ，５ｂに取り付けられた保持シャフト５ｅを中心に、前面扉５を回動させて調整することにより、遊技領域４ａのどの位置に設けられた部材を調整する場合にでも調整しやすくなり、作業者の作業効率を向上させることができる。
【００３２】
図１２〜図１６に他の実施形態を示す。上記実施形態のものと同様の構成部材には同一の符号を付し、その詳細な説明を簡略化する。この実施形態では、図１２に示すように、本体枠３の内部の左側端部には左施錠装置（左扉保持装置）３９が、本体枠３の内部の右側端部には右施錠装置（右扉保持装置）４０がそれぞれ組み付けられている。前面扉５の第１取付板（左扉保持部）５ａの中央部よりも後端部側には、後述する左施錠装置３９の第２リンクアーム（左扉挿通部材）４２の挿通軸部４２ｃ（図１３参照）を挿通するための挿通孔（左扉孔）５ｋ（図１３参照）が、第２取付板（左扉保持部）５ｂの中央部よりも後端部側には、後述する左施錠装置３９の第４リンクアーム（左扉挿通部材）４４の挿通軸部４４ｃ（図１３参照）を挿通するための挿通孔（左扉孔）５ｋ（図１３参照）がそれぞれ形成されている。第３取付板（右扉保持部）５ｃの中央部よりも後端部側には、後述する右施錠装置４０の第２リンクアーム（右扉挿通部材）４２の挿通軸部４２ｃを挿通するための挿通孔（右扉孔）５ｌが、第４取付板（右扉保持部）５ｄの中央部よりも後端部側には、後述する右施錠装置４０の第４リンクアーム（右扉挿通部材）４４の挿通軸部４４ｃを挿通するための挿通孔（右扉孔）５ｌがそれぞれ形成されている。第１，第３取付板５ａ，５ｃは後端部が上側方向へのテーパ状に形成されており、第２，第４取付板５ｂ，５ｄは後端部が下側方向へのテーパ状に形成されている。
【００３３】
図１３に示すように、左施錠装置３９は、支持板２２、キーシリンダー２３、第１リンクアーム（左移動部材）４１、第２リンクアーム（左扉挿通部材）４２、第３リンクアーム（左移動部材）４３、第４リンクアーム（左扉挿通部材）４４から構成されている。なお、左施錠装置３９及び右施錠装置４０は同じ部材により構成されているため、左施錠装置３９のみを例に説明し、右施錠装置４０の説明は簡略化する。図１４に示すように、キーシリンダー２３のシリンダーシャフト２３ｅには、板状の連結板４５がカシメ締めされている。連結板４５は、１８０°のピッチで２箇所に連結片４５ａ，４５ｂが形成されており、連結片４５ａ，４５ｂには、それぞれ取付シャフト４５ｃが取り付けられている。支持板２２の上端アーム受け部２２ｂには、後述する第２リンクアーム４２の挿通軸部４２ｃの上側の先端部を挿通するための上挿通孔２２ｋが、下端アーム受け部２２ｃには、後述する第４リンクアーム４４の挿通軸部４４ｃ下側の先端部を挿通するための下挿通孔２２ｌがそれぞれ形成されている。
【００３４】
第１リンクアーム（左移動部材）４１の長板状に形成された本体部４１ａの上側の先端部には、後述する第２リンクアーム４２の連結シャフト４２ｅを挿通するための挿通孔４１ｂが、本体部４１ａの下側の先端部には連結片４５ａに取り付けられた取付シャフト４５ｃを挿通するための長孔状の連結孔４１ｃがそれぞれ形成されている。第２リンクアーム（左扉挿通部材）４２は、円柱状の本体部４２ａと、本体部４２ａの上側の先端部を略直角に折り曲げて形成された円柱状の折り曲げ部４２ｂと、折り曲げ部４２ｂの本体部４２ａとは逆側の先端部を略直角に折り曲げて形成された支持板２２の上挿通孔２２ｋに挿通するための円柱状の挿通軸部４２ｃと、本体部４２ａの下側の先端部に形成された板状の連結部４２ｄとからなり、連結部４２ｄには挿通孔４１ｂに挿通するための連結シャフト４２ｅが形成されている。第２リンクアーム４２は、図示しないコイルバネ（左扉挿通付勢部）により図１３中Ｂ方向に付勢されている。第３リンクアーム（左移動部材）４３の長板状に形成された本体部４３ａの下側の先端部には、後述する第４リンクアーム４４の連結シャフト４４ｅを挿通するための挿通孔４３ｂが、本体部４３ａの上側の先端部には、連結片４５ｂに取り付けられた取付シャフト４５ｃを挿通するための長孔状の連結孔４３ｃがそれぞれ形成されている。第４リンクアーム（左扉挿通部材）４４は、円柱状の本体部４４ａと、本体部４４ａの下側の先端部を略直角に折り曲げて形成された円柱状の折り曲げ部４４ｂと、折り曲げ部４４ｂの本体部４４ａとは逆側の先端部を略直角に折り曲げて形成された支持板２２の下挿通孔２２ｌに挿通するための円柱状の挿通軸部４４ｃと、本体部４４ａの上側の先端部に形成された板状の連結部４４ｄとからなり、連結部４４ｄには挿通孔４３ｂに挿通するための連結シャフト４４ｅが形成されている。第４リンクアーム４４は、図示しないコイルバネ（左扉挿通付勢部）により図１３中Ａ方向に付勢されている。
【００３５】
本実施形態では、右施錠装置４０の第１リンクアーム４１と第３リンクアーム４３とが右移動部材として、右施錠装置４０の第２リンクアーム４２と第４リンクアーム４４とが右扉挿通部材として、右施錠装置４０の第２リンクアーム４２を図１２中Ｂ方向に、第４リンクアーム４４を図１２中Ａ方向にそれぞれ付勢する図示しないコイルバネが右扉挿通付勢部としてそれぞれ機能する。
【００３６】
前面扉５を本体枠３に取り付ける際には、左施錠装置３９の第２リンクアーム４２の挿通軸部４２ｃを第１取付板５ａの挿通孔５ｋに挿通し、左施錠装置３９の第４リンクアーム４４の挿通軸部４４ｃを第２取付板５ｂの挿通孔５ｋに挿通する。同様に、右施錠装置４０の第２リンクアーム４２の挿通軸部４２ｃを第３取付板５ｃの挿通孔５ｌに挿通し、右施錠装置４０の第４リンクアーム４４の挿通軸部４４ｃを第４取付板５ｄの挿通孔５ｌに挿通する。これにより、前面扉５が取り外し不能に本体枠３に取り付けられる。このとき、左施錠装置３９の第２リンクアーム４２の挿通軸部４２ｃの先端部が、テーパ状に形成された第１取付板５ａの先端部に当接して、第２リンクアーム４２が図１３中Ａ方向に移動し、第１取付板５ａの挿通孔５ｋが所定の位置へ位置すると、第２リンクアーム４２が図示しないコイルバネの付勢により図１３中Ｂ方向に移動し、挿通軸部４２ｃが第１取付板５ａの挿通孔５ｋに挿通される。また、左施錠装置３９の第４リンクアーム４４の挿通軸部４４ｃの先端部が、テーパ状に形成された第２取付板５ｂの先端部に当接して、第４リンクアーム４４が図１３中Ｂ方向に移動し、第２取付板５ｂの挿通孔５ｋが所定の位置へ位置すると、第４リンクアーム４４が図示しないコイルバネの付勢により図１３中Ａ方向に移動し、挿通軸部４４ｃが第２取付板５ｂの挿通孔５ｋに挿通される。同様にして、右施錠装置４０の挿通軸部４２ｃが第３取付板５ｃの挿通孔５ｌに挿通され、右施錠装置４０の挿通軸部４４ｃが第４取付板５ｄの挿通孔５ｌに挿通される。これにより、前面扉５を後方に移動させるだけで、スムーズに前面扉５を本体枠３に取り付けることができる。
【００３７】
図１５に示すように、作業者が鍵３７を前面扉５の左端部の略中央部に形成された鍵挿入孔５ｇから、左施錠装置３９のキーシリンダー２３の鍵穴２３ｃに挿入し、鍵３７を図中Ｅ方向に回動すると、連結板４５が図中Ｅ方向に回動し、連結片４５ａの取付シャフト４５ｃが左施錠装置３９第１リンクアーム４１を図中Ａ方向に押圧し、連結片４５ｂの取付シャフト４５ｃが第３リンクアーム４３を図中Ｂ方向に押圧し、第１リンクアーム４１が図中Ａ方向に、第３リンクアーム４３が図中Ｂ方向に移動する。図１６に示すように、第１リンクアーム４１が図中Ａ方向に移動すると、第１リンクアーム４１に連結された第２リンクアーム４２が図中Ａ方向に移動し、挿通軸部４２ｃが第１取付板５ａの挿通孔５ｋから抜ける。同様に、第３リンクアーム４３が図中Ｂ方向に移動すると、第３リンクアーム４３に連結された第４リンクアーム４４が図中Ｂ方向に移動し、挿通軸部４４ｃが第２取付板５ｂの挿通孔５ｋから抜ける。これにより、左施錠装置３９による前面扉５の保持が解除され、第３取付板５ｃの挿通孔５ｌと第４取付板５ｄの挿通孔５ｌとを結ぶ軸線を中心に、前面扉５を回動することができる。同様にして、右施錠装置４０による前面扉５の保持を解除すると、第１取付板５ａの挿通孔５ｋと第２取付板５ｂの挿通孔５ｋとを結ぶ軸線を中心に、前面扉５を回動することができる。
【図面の簡単な説明】
【００３８】
【図１】本発明を実施したパチンコ機の外観を示す斜視図である。
【図２】前面扉を開けた状態のパチンコ機を示す斜視図である。
【図３】左施錠装置を示す斜視図である。
【図４】左施錠装置を示す分解斜視図である。
【図５】保持アーム部を示す分解斜視図である。
【図６】保持アーム部支持板に取り付けた状態を示す斜視図である。
【図７】本体枠に前面扉を取り付ける際の本体枠と前面扉と保持アーム部とを示す上面断面図である。
【図８】鍵の操作によるキーシリンダーと移動板との動きを示す正面図、右側面図及び背面図である。
【図９】鍵の操作により移動板が移動した状態を示す左施錠装置の斜視図である。
【図１０】左施錠装置による前面扉の保持を解除した状態の本体枠と前面扉と保持アーム部とを示す上面断面図である。
【図１１】右施錠装置による前面扉の保持を解除した状態の本体枠と前面扉と保持アーム部とを示す上面断面図である。
【図１２】第１〜第４リンクアームを用いた実施形態の前面扉を開けた状態のパチンコ機を示す斜視図である。
【図１３】第１〜第４リンクアームを用いた左施錠装置を示す斜視図である。
【図１４】第１〜第４リンクアームを用いた左施錠装置を示す分解斜視図である。
【図１５】鍵の操作によるキーシリンダーと第１リンクアームと第３リンクアームと移動板との動きを示す正面図、右側面図及び背面図である。
【図１６】鍵の操作により第１〜第４リンクアームが移動した状態を示す左施錠装置の斜視図である。
【符号の説明】
【００３９】
２  パチンコ機
３  本体枠
４  遊技盤
５  前面扉
５ａ，５ｂ  第１，第２取付板（左扉保持部）
５ｃ，５ｄ  第３，第４取付板（右扉保持部）
５ｅ  保持シャフト（左扉軸）
５ｆ  保持シャフト（右扉軸）
５ｋ  挿通孔（左扉孔）
５ｌ  挿通孔（右扉孔）
１９，３９  左施錠装置（左扉保持装置）
２０，４０  右施錠装置（右扉保持装置）
２１  移動板（左（右）移動部材）
２２  支持板
２３  キーシリンダー（左（右）施錠部材）
２４  保持アーム部
３１  第１アーム（第１左（右）変位部材）
３２  第２アーム（第２左（右）変位部材）
３５  コイルバネ（左（右）扉保持付勢部）
３７  鍵（施錠媒体）
４１  第１リンクアーム（左（右）移動部材）
４２  第２リンクアーム（左（右）扉挿通部材）
４３  第３リンクアーム（左（右）移動部材）
４４  第４リンクアーム（左（右）扉挿通部材）
【図１】
2005224442.tif 000003
【図２】
2005224442.tif 000004
【図３】
2005224442.tif 000005
【図４】
2005224442.tif 000006
【図５】
2005224442.tif 000007
【図６】
2005224442.tif 000008
【図７】
2005224442.tif 000009
【図８】
2005224442.tif 000010
【図９】
2005224442.tif 000011
【図１０】
2005224442.tif 000012
【図１１】
2005224442.tif 000013
【図１２】
2005224442.tif 000014
【図１３】
2005224442.tif 000015
【図１４】
2005224442.tif 000016
【図１５】
2005224442.tif 000017
【図１６】
2005224442.tif 000018